(57)【要約】  【課題】  カラーホイールの回転数及びカラーフィルタの組数を増加させることなく、色時分割速度を２倍にすることができ、カラーブレーキング現象による色分離を防ぐことができるプロジェクタを提供する。  【解決手段】  赤・緑・青に色時分割された光を順次光変調するＤＭＤ７、及びＤＭＤ７が光変調した光を投射する投射レンズ８を備えるプロジェクタに、シアン・マゼンタ・イエローのカラーフィルタを周方向に３等配したカラーホイール３と、白色光源１からの白色光が２枚のカラーフィルタを透過するように、光を反射させる折り返しの反射鏡４とを備え、２つの光の入射点がカラーホイールの回転軸に関して軸対称となるように、反射鏡４を配置する。【選択図】        図１
2007052059.tif 000002
【特許請求の範囲】
【請求項１】
白色光源と、該白色光源からの白色光を３原色の光に色時分割する色時分割手段と、該色時分割手段が色時分割した前記３原色の光を順次光変調する光変調手段とを備え、該光変調手段が光変調した変調光を投射レンズにて投射するようにしてあるプロジェクタにおいて、
前記色時分割手段は、
前記３原色に対する補色の光を夫々透過させる複数のカラーフィルタを周方向に配しており、回転することで白色光を色時分割するカラーホイールと、
一の補色の光を透過させる前記カラーフィルタを透過した光を、他の補色の光を透過させる前記カラーフィルタへ反射させる反射手段と
を備え、
前記光変調手段は、
前記一の補色及び他の補色の光を透過させる前記カラーフィルタを透過した光を光変調するようにしてある
ことを特徴とするプロジェクタ。
【請求項２】
前記カラーホイールは、
前記補色の光を夫々透過させるカラーフィルタｎ組（但し、ｎは自然数）を周方向に等配しており、
前記反射手段は、
一の前記カラーフィルタへの白色光の入射点と、他の前記カラーフィルタへの光の入射点とが、前記カラーホイールの回転軸周りに略１８０／ｎ度離隔するように配されている
ことを特徴とする請求項１に記載のプロジェクタ。
【請求項３】
前記カラーホイールは、
前記補色の光を透過させる複数のカラーフィルタ１組を周方向に３等配しており、
前記反射手段は、
一の前記カラーフィルタへの白色光の入射点と、他の前記カラーフィルタへの光の入射点とが、前記カラーホイールの回転軸に対して互いに逆側になるように配されている
ことを特徴とする請求項１に記載のプロジェクタ。
【請求項４】
前記補色はシアン、マゼンタ、及びイエローである
ことを特徴とする請求項１乃至請求項３のいずれか一つに記載のプロジェクタ。
【請求項５】
複数の前記カラーフィルタは、
一体形成されていることを特徴とする請求項１乃至請求項４のいずれか一つに記載のプロジェクタ。
【発明の詳細な説明】
【技術分野】
【０００１】
本発明は、等速回転するカラーホイールで白色光を赤・緑・青の光に色時分割し、色時分割した光を順次光変調して投射するプロジェクタに関する。
【背景技術】
【０００２】
従来のＤＬＰ（Ｄｉｇｉｔａｌ  Ｌｉｇｈｔ  Ｐｒｏｃｅｓｓｉｎｇ）単板方式のプロジェクタは、赤・緑・青のカラーフィルタを周方向に配しており、放電ランプの白色光を赤・緑・青の光に色時分割するカラーホイール、及び色時分割された赤・緑・青の光を順次光変調する光変調素子、例えばＤＭＤ（Ｄｉｇｉｔａｌ  Ｍｉｃｒｏｍｉｒｒｏｒ  Ｄｅｖｉｃｅ）を備えている。
【０００３】
ＤＭＤは、画像の各ドット、例えばＳＶＧＡ規格の６００×８００のドットに対応付けられた複数の微小可動ミラーを備えており、ＤＭＤ駆動部がＤＭＤの各ミラーを選択的に±１０度傾けることにより、入射した赤・緑・青の光を投射レンズ又は投射レンズ外へ反射させ、スクリーンにカラー画像を色時分割表示する（特許文献１）。
【０００４】
ところで、ＤＬＰ単板方式のプロジェクタにおいては、例えばカラーホイールが３６００ｒ．ｐ．ｍで等速回転する場合、赤色画像、緑色画像、青色画像が約１８０分の１秒毎に時系列順に投射されるため、使用者が視線を移動させた場合、画像が赤・緑・青色の画像に色分離して見えるカラーブレーキング現象が生ずる。
【０００５】
カラーブレーキング現象による色分離は、白色光をより高速で色時分割することで防ぎ又は抑えることができる。そこで、カラーホイールの回転数を３６００ｒ．ｐ．ｍの２倍〜５倍にして、より高速で白色光を色時分割するように構成されたプロジェクタが提案されている。
【０００６】
また、カラーホイールに赤・緑・青のカラーフィルタ２組、又は３組を等配することで、カラーホイールの回転数を上げることなく、より高速で白色光を色時分割するように構成されたプロジェクタが提案されている。
【特許文献１】特開２００４−０８５８１３号公報
【発明の開示】
【発明が解決しようとする課題】
【０００７】
しかしながら、カラーホイールの回転数を上げた場合、カラーホイールの風切り音による騒音が大きくなり、カラーホイールの回転駆動系の温度上昇、摩耗等が生じ、該回転駆動系の寿命が短くなるという問題があった。
【０００８】
また、複数組のカラーフィルタを等配した場合、１組のカラーフィルタを等配する場合に比べてコスト高になるという問題があった。
個別に製造された赤・緑・青のカラーフィルタを組み立ててなるカラーホイールの場合、各カラーフィルタ間に生ずる段差による風切り音が問題となる。また、カラーフィルタの枚数が多い程、カラーフィルタ間の接合が外れる虞が高くなり、カラーホイールの信頼性が下がるという問題があった。
【０００９】
本発明は、斯かる事情に鑑みてなされたものであり、その目的は、光の３原色に対する補色の光を夫々透過させるカラーフィルタを周方向に配したカラーホイールを備え、一のカラーフィルタを透過した光を再度、他のカラーフィルタに透過させるような折り返しの反射鏡を配置することにより、カラーホイールの回転数及びカラーフィルタの組数を増加させることなく、同数のカラーフィルタを備える従来のプロジェクタに比べて、色時分割速度を２倍にすることができ、カラーブレーキング現象による色分離を防ぐことができるプロジェクタを提供することにある。
【００１０】
また、本発明の他の目的は、カラーホイールにｎ組（ｎは自然数）のカラーフィルタを等配した場合、カラーホイールの回転軸を中心にして略１８０／ｎ度離隔したカラーホイールの２箇所へ光が入射するように構成することにより、白色光を３原色の光に時系列順で等分することができるプロジェクタを提供することにある。
【００１１】
更に、本発明の他の目的は、カラーホイールに１組のカラーフィルタを等配した場合、カラーホイールの回転軸に対して互いに逆側の２箇所へ光が入射するように構成することにより、白色光を３原色の光に時系列順で等分することができるプロジェクタを提供することにある。
【００１２】
更にまた、本発明の他の目的は、シアン、マゼンタ、及びイエローの光を透過させるカラーフィルタを備えることにより、白色光を赤・緑・青の３原色に色時分割し、赤色画像、緑色画像、及び青色画像にてカラーの画像を色時分割表示することができるプロジェクタを提供することにある。
【００１３】
更にまた、本発明の他の目的は、各カラーフィルタを一体形成することにより、各カラーフィルタ間の段差によって生ずる風切り音を低減することができるプロジェクタを提供することにある。
【課題を解決するための手段】
【００１４】
本発明に係るプロジェクタは、白色光源と、該白色光源からの白色光を３原色の光に色時分割する色時分割手段と、該色時分割手段が色時分割した前記３原色の光を順次光変調する光変調手段とを備え、該光変調手段が光変調した変調光を投射レンズにて投射するようにしてあるプロジェクタにおいて、前記色時分割手段は、前記３原色に対する補色の光を夫々透過させる複数のカラーフィルタを周方向に配しており、回転することで白色光を色時分割するカラーホイールと、一の補色の光を透過させる前記カラーフィルタを透過した光を、他の補色の光を透過させる前記カラーフィルタへ反射させる反射手段とを備え、前記光変調手段は、前記一の補色及び他の補色の光を透過させる前記カラーフィルタを透過した光を光変調するようにしてあることを特徴とする。
【００１５】
本発明にあっては、白色光源からの白色光がカラーホイールに配された一のカラーフィルタを透過し、透過した光は反射手段で反射されて、他のカラーフィルタを透過する。各カラーフィルタは、光の３原色に対する補色の光、つまり原色の光を重ねた場合、白色光になるような光を透過させる。例えば、光の３原色を赤・緑・青とした場合、赤の補色は、緑及び青の光を含むシアン、緑の補色は、赤及び青の光を含むマゼンタ、青の補色は、緑及び赤を含むイエローである。
従って、シアン、マゼンタ、イエローの各カラーフィルタのいずれか２枚を白色光が透過した場合、カラーフィルタ透過後の光は、赤、緑、又は青になり、白色光は、３原色の光に色時分割される。例えば、シアン及びマゼンタの２枚のカラーフィルタを白色光が透過した場合、いずれのカラーフィルタも透過することができる青の光がカラーフィルタ透過後の光となる。
そして、白色光は、異なる２種類のカラーフィルタを透過するため、図４に示すように、カラーホイール３が１回転した場合、白色光は、イエロー・マゼンタ、イエロー・シアン、マゼンタ・シアン、マゼンタ・イエロー、シアン・イエロー、シアン・マゼンタのカラーフィルタ３ｃ，３ｍ，３ｙの組み合わせで順次透過する。つまり、カラーホイールが１回転した場合、白色光は、赤・緑・青・赤・緑・青の順で６分割される。
【００１６】
本発明に係るプロジェクタは、前記カラーホイールが、前記補色の光を夫々透過させるカラーフィルタｎ組（但し、ｎは自然数）を周方向に等配しており、前記反射手段は、一の前記カラーフィルタへの白色光の入射点と、他の前記カラーフィルタへの光の入射点とが、前記カラーホイールの回転軸周りに略１８０／ｎ度離隔するように配されていることを特徴とする。
【００１７】
本発明にあっては、３原色に対する補色の光を透過させるカラーフィルタｎ組が等配されていて、カラーフィルタへの光の入射点がカラーホイールの回転軸周りに略１８０／ｎ度離隔している場合、カラーホイールを等速回転させることで、白色光を３原色の光に時系列で２ｎ等分することができる。
例えば、図４に示すように、ｎ＝１組のカラーフィルタ３ｃ，３ｍ，３ｙが等配されていて、前記回転軸周りに略１８０（＝１８０／１）度離隔した各入射点Ｐ１，Ｐ２を光が透過する場合、カラーホイール３が略６０度回転する毎に、白色光が透過するカラーフィルタの組み合わせが変更される。
２組のカラーフィルタが等配されている場合も同様であり、図７に示すように、前記回転軸周りに略９０（＝１８０／２）度離隔した各入射点Ｐ３，Ｐ４を光が透過する場合、カラーホイール１０３が略３０度回転する毎に、白色光が透過するカラーフィルタ１０３ｃ，１０３ｍ，１０３ｙの組み合わせが変更される。
【００１８】
本発明に係るプロジェクタは、前記カラーホイールが、前記補色の光を透過させる複数のカラーフィルタ１組を周方向に３等配しており、前記反射手段は、一の前記カラーフィルタへの白色光の入射点と、他の前記カラーフィルタへの光の入射点とが、前記カラーホイールの回転軸に対して互いに逆側になるように配されていることを特徴とする。
【００１９】
本発明にあっては、３原色に対する補色の光を透過させるカラーフィルタ１組が３等配されていて、カラーフィルタへの２つの入射点がカラーホイールの回転軸に対して互いに逆側にある場合、カラーホイールを等速回転させることで、白色光を３原色の光に時系列で６等分することができる。
【００２０】
本発明に係るプロジェクタは、前記補色がシアン、マゼンタ、及びイエローであることを特徴とする。
【００２１】
本発明にあっては、シアン・マゼンタ・イエローの光を透過させるカラーフィルタをカラーホイールが備えているため、異なる２色のカラーフィルタを白色光が透過した場合、白色光は、赤、緑、又は青の光になる。つまり、白色光を、赤・緑・青の３原色に色時分割することができる。
【００２２】
本発明に係るプロジェクタは、複数の前記カラーフィルタが、一体形成されていることを特徴とする。
【００２３】
本発明にあっては、各カラーフィルタが一体形成されているため、各カラーフィルタを個別に製造して組み合わせたカラーホイールに比べて、カラーホイールが回転した際に生ずる風切り音は小さい。
【発明の効果】
【００２４】
本発明によれば、カラーホイールの回転数及びカラーフィルタの組数を増加させることなく、同数のカラーフィルタを備える従来のプロジェクタに比べて、色時分割速度を２倍にすることができ、カラーブレーキング現象による色分離を防ぐことができる。
また、カラーホイールの回転数を増加させる必要がないため、カラーホイールの風切り音による騒音が大きくなる虞はない。
更に、カラーホイールの回転駆動系の温度上昇、摩耗によって、回転駆動系の寿命が短くなる虞はない。
更にまた、カラーフィルタの組数を増加させる必要がなく、低コストで、色時分割速度を２倍にすることができる。
【００２５】
本発明によれば、白色光を３原色の光に時系列順で等分することができる。ｎ組のカラーフィルタを等配しているカラーホイールを１回転させた場合、白色光を３原色の光に時系列順で３×２ｎ等分することができる。
【００２６】
本発明によれば、白色光を３原色の光に時系列順で等分することができる。１組のカラーフィルタを等配しているカラーホイールを１回転させた場合、白色光を３原色の光に時系列順で３×２＝６等分することができる。
【００２７】
本発明によれば、白色光を赤・緑・青の３原色に色時分割し、赤色画像、緑色画像、及び青色画像にてカラーの画像を色時分割表示することができる。
【００２８】
本発明によれば、各カラーフィルタ間の段差によって生ずる風切り音を低減することができる。
【発明を実施するための最良の形態】
【００２９】
以下、本発明をその実施の形態を示す図面に基づいて詳述する。
【００３０】
（実施の形態１）
図１は、本発明の実施１の形態に係るＤＬＰ単板方式のプロジェクタのブロック図である。
図中１は、白色光を発するキセノンランプ又は超高圧水銀ランプ等の放電ランプ１１を備えた白色光源であり、放電ランプ１１の発光中心が回転放物面状の鏡面を有するリフレクタ１０の焦点に位置するようにリフレクタ１０に固定されている。リフレクタ１０によって反射された放電ランプ１１の白色光は、コンデンサレンズ２で集光され、カラーホイール３を透過して、平板の反射鏡４に入射する。
【００３１】
反射鏡４は、一のカラーフィルタ３ｃ，３ｍ，３ｙ（図２参照）を透過した光を、他のカラーフィルタ３ｃ，３ｍ，３ｙへ反射させる。
【００３２】
２枚のカラーフィルタ３ｃ，３ｍ，３ｙを透過することで色時分割された光は、略直方体のロッドレンズ５に入射し、ロッドレンズ５の内面で反射を繰り返して均一な光となり、リレーレンズ６を通じてＤＭＤ７に入射する。
【００３３】
ＤＭＤ７は、画像データに係る画像の各ドット、例えばＳＶＧＡ規格の６００×８００のドットに対応付けられた複数の微小可動ミラーを備えている。図示しないＤＭＤ駆動部は、色時分割された赤・緑・青の光が、投射レンズ８へ又は投射レンズ８外へ選択的に反射するように、各微小可動ミラーを選択的に±１０度傾ける。ＤＭＤ７に入射した光は、ＤＭＤ７の微小可動ミラーにより光変調、即ち反射され、光変調された変調光は投射レンズ８に入射する。
【００３４】
投射レンズ８は、ＤＭＤ７で光変調された光を拡大投射する投射レンズ８、投射される画像の大きさを調節するレンズ等備えている。
【００３５】
図２は、白色光源１側から見たカラーホイール３の略示正面図である。カラーホイール３は、シアン・マゼンタ・イエローの光を夫々透過させる扇状のカラーフィルタ３ｃ，３ｍ，３ｙを、白色光の入射方向側から見て時計回りにシアン・マゼンタ・イエローの順に３等配しており、カラーフィルタ３ｃ，３ｍ，３ｙの回転通回域に白色光源１の投光域が位置するように配置されている。各カラーフィルタ３ｃ，３ｍ，３ｙは、無色透明の透光ホイールに各色を蒸着することで一体形成してある。
【００３６】
カラーホイール３の回転軸３１から離隔した入射点Ｐ１を透過した光は、反射鏡４で反射され、カラーホイール３の回転軸３１に関して軸対称な位置にある入射点Ｐ２を再び透過する。各カラーフィルタ３ｃ，３ｍ，３ｙは、周方向に３等配されているため、各カラーフィルタ３ｃ，３ｍ，３ｙの扇角は約１２０度である。従って、回転軸３１に関して軸対称な入射点Ｐ１及びＰ２には、相異なるカラーフィルタ３ｃ，３ｍ，３ｙが位置し、白色光は、異なる２枚のカラーフィルタ３ｃ，３ｍ，３ｙを透過する。
カラーホイール３の回転軸３１には、カラーホイール３を等速回転、例えば３６００ｒ．ｐ．ｍで等速回転させるモータ３０が接続されている。モータ３０の回転は、図示しない制御部によって制御させる。等速回転しているカラーホイール３を透過した白色光は、色時分割される。
【００３７】
図３は、各カラーフィルタの分光特性を示すグラフである。
図３（ａ）は、カラーフィルタ３ｃの分光特性、即ち光の波長に対する光の透過率を示したグラフである。図３（ａ）に示すように、シアンの光を透過させるカラーフィルタ３ｃは、青波長帯域及び緑波長帯域の光を透過させる。つまりカラーフィルタ３ｃは、青及び緑の光を透過し、赤の光を遮断する。具体的には、約４５０ｎｍ〜６００ｎｍの波長の光を透過させる。
なお、カラーフィルタ３ｃを透過したシアンの光と、赤の光とを重ね合わせた場合、白色光となるため、カラーフィルタ３ｃを透過したシアンの光と赤の光とは、補色の関係にある。
【００３８】
図３（ｂ）は、カラーフィルタ３ｍの分光特性を示したグラフである。図３（ｂ）に示すように、マゼンタの光を透過させるカラーフィルタ３ｍは、青及び赤の光を透過し、緑の光を遮断する。具体的には、約４５０ｎｍ〜５００ｎｍ、６００ｎｍ〜７５０ｎｍの波長の光を透過させる。
なお、カラーフィルタ３ｍを透過した光と、緑の光とを重ね合わせた場合、白色光となるため、カラーフィルタ３ｍを透過したマゼンタの光と緑の光とは、補色の関係にある。
【００３９】
図３（ｃ）は、カラーフィルタ３ｙの分光特性を示したグラフである。図３（ｃ）に示すように、イエローの光を透過させるカラーフィルタ３ｙは、緑及び赤の光を透過し、青の光を遮断する。具体的には、約５００ｎｍ〜７５０ｎｍの波長の光を透過させる。
なお、カラーフィルタ３ｙを透過した光と、青の光とを重ね合わせた場合、白色光となるため、カラーフィルタ３ｙを透過したイエローの光と青の光とは、補色の関係にある。
【００４０】
図４は、カラーホイール３が等速回転した場合における光の入射点Ｐ１及びＰ２に位置するカラーフィルタ３ｃ，３ｍ，３ｙの時間変化を示す模式図、図５は、白色光が透過する２枚のカラーフィルタ３ｃ，３ｍ，３ｙの色と、透過した光の色との関係を示す図表である。
【００４１】
図４（ａ）に示すように、白色光がイエローのカラーフィルタ３ｙの入射点Ｐ１を透過した場合、図３（ｃ）に示すように、青の光が遮断されて、緑及び赤の光、つまりイエローの光が透過する。そして、反射鏡４で反射されたイエローの光は、マゼンタのカラーフィルタ３ｍの入射点Ｐ２を透過する。カラーフィルタ３ｍは、図３（ｂ）に示すように、緑の光を遮断し、青及び赤の光を透過させるため、カラーフィルタ３ｙを透過した光が、更にマゼンタのカラーフィルタ３ｍを透過した場合、緑及び青の光が遮断されて、赤の光が透過する。
従って、入射点Ｐ１及びＰ２がイエロー及びマゼンタの２枚のカラーフィルタ３ｙ，３ｍに位置していて、各カラーフィルタ３ｙ，３ｍを白色光が透過した場合、透過後の光の色は赤になる。
【００４２】
図４（ａ）に示した状態から、カラーホイール３が時計回りに略６０度回転した場合、図４（ｂ）に示すように、白色光は、イエロー及びシアンのカラーフィルタ３ｙ，３ｃを透過する。イエロー及びシアンの２枚のカラーフィルタ３ｙ，３ｃを透過した光の色は、緑になる。
【００４３】
以下同様に、図４（ｂ）に示した状態から、カラーホイール３が時計回りに略６０度、１２０度、１８０度、２４０度回転した場合、図４（ｃ）、（ｄ）、（ｅ）、（ｆ）に示すように、白色光は、マゼンタ及びシアン、マゼンタ及びイエロー、シアン及びイエロー、並びにシアン及びマゼンタの各２枚のカラーフィルタ３ｃ，３ｍ，３ｙを透過し、透過後の光の色は、夫々青、赤、緑、及び青になる。
【００４４】
従って、カラーホイール３が１回転した場合、白色光は、赤・緑・青・赤・緑・青の光に色時分割される。また、２枚のカラーフィルタ３ｃ，３ｍ，３ｙを透過した光の色は、カラーホイール３が６０度回転する度に切り替わる。
【００４５】
実施の形態１に係るプロジェクタにあっては、カラーホイール３の回転数、及びカラーフィルタ３ｃ，３ｍ，３ｙの組数を増加させることなく、白色光の色時分割速度を２倍にすることができる。
従って、カラーホイール３の回転数の増加による騒音、カラーホイール３の駆動系における発熱又は摩耗の問題を伴うことなく、カラーブレーキング現象による色分離を防ぐことができる。
【００４６】
また、個別に製造した各カラーフィルタを組み合わせたカラーホイール３に比べて、風切り音の発生を抑えることができる。
【００４７】
更に、追加部材として反射鏡４のみを備える簡単な構成であるため、カラーホイール３の回転数、又はカラーフィルタ３ｃ，３ｍ，３ｙの組数を２倍に増加させた従来のプロジェクタに比べて、低コストで同様の効果を得ることができるプロジェクタを構成することができる。
【００４８】
なお、実施の形態１にあっては、１枚の反射鏡を用いて、光が２枚のカラーフィルタを通過するように光路を変更しているが、２枚以上の反射鏡を用いて光路を変更するように構成しても良い。
【００４９】
また、反射鏡として、平板鏡を一例として説明したが、光が２枚のカラーフィルタを透過するように光路を変更できるのであれば、平面鏡に限らず、反射プリズムであっても良い。また、光を複数回反射させて、光の光路を変更する光学素子を用いても良い。
【００５０】
更に、実施の形態１にあっては、蒸着によって３枚のカラーフィルタが一体形成されたカラーホイールを説明したが、３枚のカラーフィルタを３等配した場合の風切り音が問題とならない場合、カラーフィルタを個別に製造し、組み合わせてなるカラーホイールを採用しても良い。
カラーフィルタが一体形成されたカラーホイールを製造する場合、一のカラーフィルタの蒸着に失敗すると、カラーホイール全体が不良品となるため、歩留まりが下がり、コスト高になるが、個別にカラーフィルタを製造して組み合わせる場合、前記歩留まりの低下が生じないため、低コストでカラーホイールを構成することができる。
【００５１】
更に、赤・緑・青の光を光変調する光変調素子として、ＤＭＤを備えているが、液晶パネルにて赤・緑・青の光を光変調するように構成しても良い。
【００５２】
（実施の形態２）
実施の形態２に係るプロジェクタは、実施の形態１と同様の白色光源１、コンデンサレンズ２、ロッドレンズ５、リレーレンズ６、ＤＭＤ７、投射レンズ８等を備えている。
図６は、白色光源側から見た実施の形態２に係るカラーホイール１０３の略示正面図である。実施の形態２に係るカラーホイール１０３は、シアン・マゼンタ・イエローの光を透過させるカラーフィルタ１０３ｃ，１０３ｍ，１０３ｙ２組を白色光の入射方向から見て時計回りにシアン・マゼンタ・イエロー・シアン・マゼンタ・イエローの順に６等配している。
【００５３】
反射鏡４は、カラーホイール１０３の回転軸３１から離隔した入射点Ｐ３を透過した光が、反射鏡４で反射され、カラーホイール１０３の回転軸３１を軸として入射点Ｐ３から時計回りに略９０度離隔した入射点Ｐ４に入射するように配置されている。
【００５４】
図７は、カラーホイール１０３が等速回転した場合における光の入射点Ｐ３及びＰ４に位置するカラーフィルタ１０３ｃ，１０３ｍ，１０３ｙの時間変化を示す模式図である。
【００５５】
図７（ａ）に示すように、入射点Ｐ３及びＰ４がイエロー及びマゼンタの２枚のカラーフィルタ１０３ｙ，１０３ｍに位置していて、各カラーフィルタ１０３ｙ，１０３ｍを白色光が透過した場合、透過後の光の色は赤になる。
【００５６】
図７（ａ）に示した状態から、カラーホイール１０３が時計回りに略３０度回転した場合、図７（ｂ）に示すように、白色光は、イエロー及びシアンのカラーフィルタ１０３ｙ，１０３ｃを透過する。イエロー及びシアンの２枚のカラーフィルタ１０３ｙ，１０３ｃを透過した光の色は緑になる。
【００５７】
以下同様に、図７（ｂ）に示した状態から、カラーホイール１０３が時計回りに略３０度、６０度、９０度、１２０度回転した場合、図７（ｃ）、（ｄ）、（ｅ）、（ｆ）に示すように、白色光は、マゼンタ及びシアン、マゼンタ及びイエロー、シアン及びイエロー、並びにシアン及びマゼンタの２枚のカラーフィルタ１０３ｃ，１０３ｍ，１０３ｙを透過し、透過後の光の色は、青、赤、緑、及び青になる。
【００５８】
従って、カラーホイール１０３が半回転した場合、白色光は、赤緑青赤緑青に６分割され、カラーホイール１０３が１回転した場合、白色光は、赤緑青赤…緑青に１２分割される。
【００５９】
実施の形態２に係るプロジェクタにあっては、実施の形態１と同様に、カラーホイール１０３の回転数を増加させることなく、白色光の色時分割速度を２倍に増加させることができる。
【００６０】
実施の形態２に係るプロジェクタの他の構成、作用及び効果は、実施の形態１に係るプロジェクタの構成、作用及び効果と同様であるため、対応する箇所には同様の符号を付して、その詳細な説明を省略する。
【００６１】
なお、実施の形態２にあっては、シアン・マゼンタ・イエローのカラーフィルタ１０４ｃ，１０４ｍ，１０４ｙを２組等配しているが、これに限らず、ｎ組（自然数）のカラーフィルタを、周方向に周期的に等配するように構成しても良い。つまり、シアン・マゼンタ・イエロー…マゼンタ・イエローの順で周方向にカラーフィルタを等配しても良い。
ｎ組のカラーフィルタを等配したカラーホイールを備えるプロジェクタにあっては、カラーホイールを１回転させることで、白色光を赤・緑・青の光に３×２ｎ等分することができる。
【図面の簡単な説明】
【００６２】
【図１】本発明の実施の形態１に係るＤＬＰ単板方式のプロジェクタのブロック図である。
【図２】白色光源側から見たカラーホイールの略示正面図である。
【図３】各カラーフィルタの分光特性を示すグラフである。
【図４】カラーホイールが等速回転した場合における光の入射点Ｐ１及びＰ２に位置するカラーフィルタの時間変化を示す模式図である。
【図５】白色光が透過する２枚のカラーフィルタの色と、透過した光の色との関係を示す図表である。
【図６】白色光源側から見た実施の形態２に係るカラーホイールの略示正面図である。
【図７】カラーホイールが等速回転した場合における光の入射点Ｐ３及びＰ４に位置するカラーフィルタの時間変化を示す模式図である。
【符号の説明】
【００６３】
１  白色光源
２  コンデンサレンズ
３  カラーホイール
３ｃ，３ｍ，３ｙ  カラーフィルタ
４  反射鏡
５  ロッドレンズ
６  リレーレンズ
７  ＤＭＤ
８  投射レンズ
１０  リフレクタ
１１  放電ランプ
３０  モータ
３１  回転軸
【図１】
2007052059.tif 000003
【図２】
2007052059.tif 000004
【図３】
2007052059.tif 000005
【図４】
2007052059.tif 000006
【図５】
2007052059.tif 000007
【図６】
2007052059.tif 000008
【図７】
2007052059.tif 000009